(57)【要約】【課題】人物や商品への着脱が容易で、繰り返し使用することが可能なＲＦＩＤタグを提供する。【解決手段】折曲部２を介して連接され一対のクリップ片１a、１ｂを備え、このクリップ片１a、１ｂを折曲部２で折曲げて互いに重合させることによりクリップ体を構成する。このクリップ片１a、１ｂの少なくとも一方の重合当接面に、インレット１８が挿入される挿入溝１６が形成されている。【選択図】図１
2011100345.tif 000002
【特許請求の範囲】
【請求項１】
折曲部を介して連接され、前記折曲部で折曲げて互いに重合させることによりクリップ体を構成する一対のクリップ片を備え、該クリップ片の少なくとも一方の重合当接面に、インレットが挿入される挿入溝が形成されていることを特徴とするＲＦＩＤタグ。
【請求項２】
前記クリップ片の一方には、フランジ状の係止部が形成され、該係止部に、第２のインレットを埋め込んだボタン型ＩＤタグが着脱自在に係止されていることを特徴とする請求項１記載のＲＦＩＤタグ。
【請求項３】
前記係止部にラベル型ＩＤが貼り付けられていることを特徴とする請求項２記載のＲＦＩＤタグ。
【請求項４】
前記クリップ片の後部に、紐状物を通せる取付孔が形成されていることを特徴とする請求項１ないし３のいずれかに記載のＲＦＩＤタグ。
【発明の詳細な説明】
【技術分野】
【０００１】
本発明は、ＩＣチップなどに記録されたＩＤ（識別情報）などの情報をＲＦ（無線周波数）で送信するＲＦＩＤタグに関し、詳しくは、衣服や商品などに簡単に着脱できるようにしたクリップ型のＲＦＩＤタグに関する。
【背景技術】
【０００２】
従来、インレット（アンテナ付ＩＣチップ）を埋め込み加工したＲＦＩＤタグとしては、ラベル型、カード型、コイン型、スティック型、さらには、容器体に埋め込んだ構造物など、用途に応じた様々な材質、形状のものが知られている（例えば、特許文献１、特許文献２参照）。
【先行技術文献】
【特許文献】
【０００３】
【特許文献１】特開２００８−４０７０４号公報
【特許文献２】特開２００９−２０５３９０号公報
【発明の概要】
【発明が解決しようとする課題】
【０００４】
ＲＦＩＤタグの使用態様としては、商品の流通管理のみならず、人の入出場管理、電子キーあるいは買い物時のポイントサービス等の多様のソリューションがある。このような多様なソリューションに適応するには、人物や商品への着脱が容易であり、かつ繰り返し使用することができることが求められる。
【０００５】
しかしながら、特許文献１および特許文献２に記載されているような従来のＲＦＩＤタグでは、繰り返し使用は可能であるが、人物や商品への着脱は困難であるばかりでなく、インレットはケース体に対して固定されており、別のインレットに交換することはできず、汎用性にかけるという課題があった。
【０００６】
本発明は、このような課題を解決するためになされたもので、人物や商品への着脱が容易で、繰り返し使用することが可能であるとともに、インレットの交換も容易で汎用性に富むＲＦＩＤタグを提供することを目的とする。
【課題を解決するための手段】
【０００７】
上記課題を解決するため、請求項１に記載のＲＦＩＤタグは、折曲部を介して連接され、前記折曲部で折曲げて互いに重合させることによりクリップ体を構成する一対のクリップ片を備え、該クリップ片の少なくとも一方の重合当接面に、インレットが挿入される挿入溝が形成されていることを特徴とするものである。
【０００８】
請求項２記載のＲＦＩＤタグは、請求項１記載のＲＦＩＤタグであって、前記クリップ片の一方には、フランジ状の係止部が形成され、該係止部に、第２のインレットを埋め込んだボタン型ＩＤタグが着脱自在に係止されていることを特徴とするものである。
【０００９】
請求項３記載のＲＦＩＤタグは、請求項２記載のＲＦＩＤタグであって、前記係止部にラベル型ＩＤが貼り付けられていることを特徴とするものである。
【００１０】
請求項４記載のＲＦＩＤタグは、請求項１ないし３のいずれかに記載のＲＦＩＤタグであって、前記クリップ片に、紐状物を通せる取付孔が形成されていることを特徴とするものである。
【発明の効果】
【００１１】
本発明によれば、クリップ体を人物や商品へ取り付けることにより、着脱が容易で、捨てることなく繰り返し使用することが可能であり、かつ、インレットの着脱交換も容易で汎用性に富むＲＦＩＤタグを提供することができる。
【図面の簡単な説明】
【００１２】
【図１】本発明のＲＦＩＤタグのクリップ本体の実施形態を示す側面図である。
【図２】図１の平面図である。
【図３】インレットの斜視図である。
【図４】折曲げ重合したクリップ状ＲＦＩＤタグの側面図である。
【図５】図４の平面図である。
【図６】本発明の第２実施形態のＲＦＩＤタグの縦断側面図である。
【図７】ボタン型ＩＣタグの底面図である。
【図８】ボタン型ＩＣタグの斜視図である。
【図９】本発明の第３実施形態のＲＦＩＤタグの部分平面図である。
【発明を実施するための形態】
【００１３】
以下、図面を参照して本発明に係るＲＦＩＤタグの実施形態を説明する。
図１は、本発明のＲＦＩＤタグの第１実施形態を示す側面図、図２は、図１の平面図、図３は、インレットの斜視図、図４は、の折り畳み状態のクリップ体の側面図、図５は、図４の平面図である。
【００１４】
図１、図２に示すように、左右一対の樹脂製のクリップ片１a、１ｂの基部６、９は、中間の肉薄の折曲部２を介して連接されている。左のクリップ片１aは、内面に波状凹凸３が形成された上辺部４と下辺部５とが基部６において弾性的に連結されている。右のクリップ片１ｂは、内面に波状凹凸３が形成された上辺部７と下辺部８とが基部９において弾性的に連結されている。各々のクリップ片１a、１ｂの基部６、９には紐状物を通せる取付孔１０が形成され、かつ、各々の基部６、９の下面には通し孔１１付の突起１９が形成され、かつ、先端にテーパ部１２が形成された、略相似形の側面形状（図１参照）を有している。クリップ片１aの先端には突起２７が形成され、クリップ片１ｂの先端には突起２７が係合される係合孔２８が形成されている。
【００１５】
左のクリップ片１aの上辺部４には略半円形の軸部１３が形成され、右のクリップ片１ｂの上辺部７には、軸部１３と同一形状の略半円形の軸部１４を介してフランジ状の係止部１５が形成されている。右のクリップ片１ｂの側部には、上辺部７および下辺部８に連続する挿入溝１６が形成され、左のクリップ片１a、１ｂの側部にも、上辺部４および下辺部５に連続する挿入溝１７が形成されている。図２に示すように、右のクリップ片１ｂは左のクリップ片１aより厚みが大きくなっている。
【００１６】
右のクリップ片１a、１ｂの挿入溝１６には、図１、図３に示すような帯状のインレット１８１７が挿入される。挿入溝１６の深さはインレット１８の幅より若干浅くなっており、挿入溝１６にインレット１８を挿入したとき、インレット１８の一部は挿入溝１６からはみ出すようになっている。これにより、はみ出し部１８aをつまんで簡単に取り出すことができるようになっている。なお、図示の実施形態では、インレット１８は帯状の形状の例を示しているが、インレット１８の形状はアンテナ形状により種々に変わり、帯状に限定されない。また、挿入溝１６もインレット１８が格納できる形状であればよく、図示のような上辺部７および下辺部８に連続する形状に限定されない。
【００１７】
使用時は、図４、図５に示すように、左右の左のクリップ片１a、１ｂを折曲部２から折曲げて互いを重合させ、突起２７と係合孔２８を係合させることにより、クリップ体１が構成される。このクリップ体１内にインレット１８が収容されて、クリップ状のＲＦＩＤタグＴが構成される。左右の半円形の軸部１３、１４は、互いに端面同士が当接して１つの円形軸となる。重合状態では、左のクリップ片１aの挿入溝１８に、インレット１８のはみ出し部１８aが挿入される。このように構成されたクリップ型のＲＦＩＤタグＴは、クリップ体１を、例えば人の衣服の胸ポケット部、襟部、あるいはベルトやネクタイ等の適当な箇所、あるいは所望の商品に取り付けることができる。
【００１８】
本実施形態のＲＦＩＤタグＴは、インレット１８自体には何の加工も施さず、クリップ体１が汎用的なインレット１８の保護容器となるため、種々の異なったインレット１８をクリップ体１に装着することにより、柔軟な利用態様を実現することができる。例えば、人の入退出管理、電子キー、あるいは買い物時のポイントサービスとして用いることができ、また、商品に取り付けて流通管理に用いることができる。必要に応じて、取付孔１０又は１１にストラップ又は丸カンその他の紐状物を通して、アクセサリー、名札、その他所望の認知物品を取り付けて、ＲＦＩＤタグＴの紛失防止をはかることができる。なお、インレット１８の不正な交換や抜き取りを防止するには、クリップ片１a、１ｂ同士を不正防止シールで封かんしたり、あるいは、インレット１８の恒久的な使用の場合は、クリップ片１a、１ｂ同士を接着剤で接着しておくことも可能である。
【００１９】
図６〜図８は、本発明のＲＦＩＤタグの第２実施形態であって、係止部１５にボタン型ＩＤタグ２０を係止させた構成を示す。このボタン型ＩＤタグ２０は、ボタン型樹脂ケース２１の底部に、中央に係止孔２２を有する二股形状の弾性係止片２３が一体に形成されたもので、ボタン型樹脂ケース２１の上部にはチップ状のインレット２４が埋め込まれている。半円形の軸部１３、１４が合わさってできた円形の軸部１３、１４に弾性係止片２３をスライドさせて挿入し、軸部１３、１４に係止孔２２を係止させることにより、ボタン型ＩＤタグ２０が係止部１５に取り付けられる。なお、ボタン型樹脂ケース２１は、図示の例では円形ボタン形状であるが、楕円形、角形、菱形その他の非円形のものでもよく、形状は限定されない。
【００２０】
図９は、本発明のＲＦＩＤタグの第３実施形態であって、係止部１５の上面に二次元コード２５を備えたラベル型ＩＤタグ２６を貼り付けた構成を示す。図示の例の二次元コード２５はＱＲコードであるが、マトリックス方式あるいはスタック方式の二次元コードはすべて適用可能である。
【００２１】
図１に鎖線で示すように、軸部１４（軸部１３でもよい）の内部空間に再書き込み可能のチップ型ＩＤタグ２７を嵌め込んで、メモリを拡張することもできる。
【００２２】
以上、第２および第３実施形態では、インレット１８の情報のほかに、ボタン型ＩＤタグ２０あるいはラベル型ＩＤタグ２５による情報も組み合わされたものであるので、複数の無線ＩＣタグのデータを同時に読み取る（アンチコリジョン）機能、あるいは異なる周波数でも読み取れる（マルチリーダ）機能を持ったリーダ／ライタを備えている場合、複数同時読み取りポイントでの異種情報の組み合わせ取得を行うことができる。
【符号の説明】
【００２３】
１a、１ｂ    クリップ片
１    クリップ体
２    折曲部
１０、１１    取付孔
１５    係止部
１６    挿入溝
１８    インレット
２０    ボタン型ＩＤタグ
２４    第２のインレット
２６    ラベル型ＩＤタグ
【図１】
2011100345.tif 000003
【図２】
2011100345.tif 000004
【図３】
2011100345.tif 000005
【図４】
2011100345.tif 000006
【図５】
2011100345.tif 000007
【図６】
2011100345.tif 000008
【図７】
2011100345.tif 000009
【図８】
2011100345.tif 000010
【図９】
2011100345.tif 000011